(57)【要約】【課題】  同軸ケーブル１によって高周波帯域の信号を伝送する場合にあっても、同軸ケーブル１内における信号の減衰を十分に抑制する。【解決手段】  撚り合わされた複数のケーブル導体９と、複数のケーブル導体９の回りを覆うコア絶縁層１１とを具備してなるケーブルコア３において、各ケーブル導体９は、撚り合わされた複数の素線１３を備えてあって、各ケーブル導体９は、隣接関係にある素線１３間が互いに絶縁状態又は半導電状態になるように構成されている。【選択図】    図１
2005166560.tif 000002
【特許請求の範囲】
【請求項１】
撚り合わされた複数のケーブル導体と；
前記複数のケーブル導体の回りを覆うコア絶縁層と；
を具備してなるケーブルコアにおいて、
各ケーブル導体は、撚り合わされた複数の素線を備えてあって、各ケーブル導体は、隣接関係にある素線間が互いに絶縁状態又は半導電状態になるように構成されていることを特徴とするケーブルコア。
【請求項２】
各ケーブル導体は、前記複数の素線の外周部をそれぞれ覆う複数の素線絶縁被覆又は複数の素線半導電被覆とを備えていることを特徴とする請求項１に記載のケーブルコア。
【請求項３】
各素線の外周部に銀又は金のメッキ処理が施されていることを特徴とする請求項１又は請求項２に記載のケーブルコア。
【請求項４】
前記コア絶縁層は発泡樹脂により構成されていることを特徴とする請求項１から請求項３のうちのいずれかの請求項に記載のケーブルコア。
【請求項５】
前記複数のケーブル導体の中心部に配置されたケーブル導体介在と；
を具備してなることを特徴とする請求項１から請求項４のうちのいずれかの請求項に記載のケーブルコア。
【請求項６】
各ケーブル導体は、前記複数の素線の中心部に配置された素線介在を備えていることを特徴とする請求項１から請求項５のうちのいずれかの請求項に記載のケーブルコア。
【請求項７】
信号を伝送する伝送ケーブルにおいて、
請求項１から請求項６のうちのいずれかの請求項に記載の発明特定事項からなるケーブルコアを具備してなることを特徴とする伝送ケーブル。
【発明の詳細な説明】
【技術分野】
【０００１】
本発明は、信号を伝送する同軸ケーブル，ツインナックスケーブル等の伝送ケーブル、及びこの伝送ケーブルの主要な構成要素であるケーブルコアに関する。
【背景技術】
【０００２】
従来の技術について図１０について参照して説明する。
【０００３】
ここで、図１０は、従来の同軸ケーブルの断面図である。
【０００４】
図１０に示すように、従来の同軸ケーブル１０１は、信号を伝送する伝送ケーブルの一つであって、通信分野に広く用いられている。また、同軸ケーブル１０１は、ケーブルコア１０３と、このケーブルコア１０３の外周部に設けられかつケーブルコア１０３をシールドする外部導体１０５と、この外部導体１０５の回りを覆うシース１０７とを具備している。
【０００５】
更に、ケーブルコア１０３は、撚り合わされた複数のケーブル導体１０９と、複数のケーブル導体１０９の中心部に配置されたケーブル導体介在としてケーブル導体１０９Ａと、複数のケーブル導体１０９の回りを覆うコア絶縁層１１１とを具備している。ここで、各ケーブル導体１０９（１０９Ａ）は、コア導線１１３と、このコア導線１１３の外周部を覆うコア絶縁被覆１１５とからなっており、各コア導線１１３の外径は、通常、０．５〜２０mmであって、各コア絶縁層１１１の厚さは、通常、０．４〜１５mmである。
【０００６】
なお、本発明に関連する先行技術として特許文献１、特許文献２、特許文献３に示すものがある。
【特許文献１】特開２００３−１５１３８０号公報
【特許文献２】特開２００３−５１２２０号公報
【特許文献３】特開２０００−２１２３８号公報
【発明の開示】
【発明が解決しようとする課題】
【０００７】
ところで、同軸ケーブル１０１によって高周波帯域（１〜２ＧＨｚ）の信号を伝送する場合には、同軸ケーブル１０１の伝送損失が大きくなって、同軸ケーブル１０１内における信号の減衰量が大きくなる。そのため、上述のような場合には、同軸ケーブル１０１の細径化を図りつつ、同軸ケーブル１０１のケーブル長を長くすることができず、同軸ケーブル１０１の利用範囲が狭くなるという問題がある。
【課題を解決するための手段】
【０００８】
請求項１に記載の発明にあっては、撚り合わされた複数のケーブル導体と；
前記複数のケーブル導体の回りを覆うコア絶縁層と；
を具備してなるケーブルコアにおいて、
各ケーブル導体は撚り合わされた複数の素線を備えてあって、各ケーブル導体は、隣接関係にある素線間が互いに絶縁状態又は半導電状態になるように構成されていることを特徴とする。
【０００９】
請求項１に記載の発明特定事項によると、各ケーブル導体は、撚り合わされた前記複数の素線を備えてあって、各ケーブル導体は、前記隣接関係にある素線間が互いに絶縁状態又は半導電状態になるように構成されているため、各ケーブル導体内を電気的に複数に分割して、各ケーブル導体内に安定した信号路を形成することができる。
【００１０】
また、各ケーブル導体は撚り合わされた複数の素線を備えているため、前記ケーブルコアを主要な構成要素とした伝送ケーブルの可とう性を高めることができる。
【００１１】
請求項２に記載の発明にあっては、請求項１に記載の発明特定事項の他に、各ケーブル導体は、前記複数の素線の外周部をそれぞれ覆う複数の素線絶縁被覆又は複数の素線半導電被覆とを備えていることを特徴とする。
【００１２】
請求項２に記載の発明特定事項によると、請求項１に記載の発明特定事項による作用と同様の作用の他に、各ケーブル導体は前記複数の素線の外周部をそれぞれ覆う複数の素線絶縁被覆又は複数の素線半導電被覆とを備えているため、各ケーブル導体の伝送損失が小さくなって、各ケーブル導体内に安定度の高い信号路を形成することができる。
【００１３】
請求項３に記載の発明にあっては、請求項１又は請求項２に記載の発明特定事項の他に、各素線の外周部に銀又は金のメッキ処理が施されていることを特徴とする。
【００１４】
請求項３に記載の発明特定事項によると、請求項１又は請求項２に記載の発明特定事項による作用の他に、各素線の外周部に銀又は金のメッキ処理が施されているため、各素線の電気伝送性が高くなって、各ケーブル導体内に安定度の高い信号路を形成することができる。
【００１５】
請求項４に記載の発明にあっては、請求項１から請求項３に記載の発明特定事項の他に、前記コア絶縁層は発泡樹脂により構成されていることを特徴とする。
【００１６】
請求項４に記載の発明特定事項によると、請求項１から請求項３のうちいずれかの請求項に記載の発明特定事項による作用の他に、前記コア絶縁層は発泡樹脂により構成されているため、前記コア絶縁層の誘電率が低くなって、各ケーブル導体内に安定度の高い信号路を形成することができる。
【００１７】
請求項５に記載の発明にあっては、請求項１から請求項４のうちのいずれかの請求項に記載の発明特定事項の他に、前記複数のケーブル導体の中心部に配置されたケーブル導体介在と；
を具備してなることを特徴とする。
【００１８】
ここで、前記ケーブル導体介在は、前記ケーブル導体と同様のものであってもよく、又はテンションメンバと同様のものであってもよい。
【００１９】
請求項５に記載の発明特定事項によると、請求項１から請求項４のうちのいずれかの請求項に記載の発明特定事項による作用と同様の作用を奏する。
【００２０】
請求項６に記載の発明にあっては、請求項１から請求項５のうちのいずれかの請求項に記載の発明特定事項の他に、各ケーブル導体は、前記複数の素線の中心部に配置された素線介在を備えていることを特徴とする。
【００２１】
ここで、前記素線介在は、前記素線と同様のものであってもよく、又はテンションメンバと同様のものであってもよい。
【００２２】
請求項６に記載の発明特定事項によると、請求項１から請求項５のうちのいずれかの請求項に記載の発明特定事項による作用と同様の作用を奏する。
【００２３】
請求項７に記載の発明にあっては、信号を伝送する伝送ケーブルにおいて、
請求項１から請求項６のうちのいずれかの請求項に記載の発明特定事項からなるケーブルコアを具備してなることを特徴とする。
【００２４】
ここで、前記伝送ケーブルには、同軸ケーブル、ツインナックスケーブル、ツイストペアケーブル、ペアケーブル、シールドツイストペアケーブル、及びシールドペアケーブルが含まれる。
【００２５】
請求項７に記載の発明特定事項によると、請求項１から請求項６のうちのいずれかの請求項に記載の発明特定事項による作用と同様の作用を奏する。
【発明の効果】
【００２６】
請求項１に記載の発明によれば、各ケーブル導体内を電気的に複数に分割して、各ケーブル導体内に安定した信号路を形成することができため、前記伝送ケーブルによって高周波帯域の信号を伝送する場合にあっても、前記伝送ケーブル内における信号の減衰量を小さくすることができる。そのため、上述のような場合でも、前記伝送ケーブルの細径化を図りつつ、前記伝送ケーブルのケーブル長を十分に長くすることができ、前記伝送ケーブルの利用範囲を拡大することができる（第１の効果）。
【００２７】
また、前記ケーブルコアを主要な構成要素とした前記伝送ケーブルの可とう性を高めることができるため、前記伝送ケーブルの曲げ、ねじり等の機械的特性が向上する（第２の効果）。
【００２８】
請求項２に記載の発明によれば、請求項１に記載の発明の効果を奏する他に、各ケーブル導体の伝送損失が小さくなって、各ケーブル導体内に安定度の高い信号路を形成することができるため、前記伝送ケーブル内における信号の減衰を十分に抑制して、前記第１の効果を高めることができる。
【００２９】
請求項３の請求項に記載の発明によれば、請求項１又は請求項２に記載の発明の効果を奏する他に、各素線の電気伝送性が高くなって、各ケーブル導体内に安定度の高い信号路を形成することができるため、前記伝送ケーブル内における信号の減衰を十分に抑制して、前記第１の効果を高めることができる。
【００３０】
請求項４に記載の発明によれば、請求項１から請求項３のうちのいずれかの請求項に記載の発明の効果の他に、前記コア絶縁層の誘電率が低くなって、各ケーブル導体内に安定度の高い信号路を形成することができるため、前記伝送ケーブル内における信号の減衰を十分に抑制して、前記第１の効果を高めることができる。
【００３１】
請求項５に記載の発明によれば、請求項１から請求項４のうちのいずれかの請求項に記載の発明の効果と同様の効果を奏する。
【００３２】
請求項６に記載の発明によれば、請求項１から請求項５のうちのいずれかの請求項に記載の発明の効果と同様の効果を奏する。
【００３３】
請求項７に記載の発明によれば、請求項１から請求項６のうちのいずれかの請求項に記載の発明の効果と同様の効果を奏する。
【発明を実施するための最良の形態】
【００３４】
第１の発明の最良の形態について図１から図８を参照して説明する。
【００３５】
ここで、図１は、第１の発明の最良の形態に係わる同軸ケーブルの断面図であって、図２は、第１の発明の最良の形態に係わるケーブルコアの断面図であって、図３から図８は、第１の発明の最良の形態に係わる別態様のケーブルコアの断面図である。
【００３６】
図１及び図２に示すように、第１の発明の最良の形態に係わる同軸ケーブル１は、信号を伝送する伝送ケーブルの一つであって、通信分野に広く用いられている。また、同軸ケーブル１は、ケーブルコア３と、このケーブルコア３の外周部に設けられかつケーブルコア３をシールドする外部導体５と、この外部導体５の回りを覆うシース７とを具備している。
【００３７】
同軸ケーブル１の主要部であるケーブルコア３の具体的な構成は、次のようになる。
【００３８】
即ち、ケーブルコア３は、撚り合わされた複数のケーブル導体９と、複数のケーブル導体９の中心部に配置されたケーブル導体介在としてケーブル導体９Ａと、発泡樹脂によりそれぞれ構成されかつ複数のケーブル導体９の回りを覆うコア絶縁層１１とを具備している。
【００３９】
各ケーブル導体９，９Ａは、撚り合わされた複数の素線１３と、複数の素線１３の中心部に配置された素線介在としての素線１３Ａと、エナメルによりそれぞれ構成されかつ複数の素線１３，１３Ａをそれぞれ覆う複数の素線絶縁被覆１５とを備えている。ここで、各素線１３，１３Ａの外周部には、銀又は金のメッキ処理が施されており、各素線１３，１３Ａの外径は、通常、０．０３〜０．１mmであって、各素線絶縁被覆１５の厚さは、数μｍある。なお、各素線絶縁被覆１５の代わりに、カーボンにより構成された半導電被覆を用いてもよい。
【００４０】
同軸ケーブル１は、図１及び図２に示すケーブルコア３の代わりに、図３から図８に示すような別態様のケーブルコア１７，１９，２１，２３，２５，２７を構成要素としてもよい。異なる態様について説明すると、次のようになる。
【００４１】
即ち、図３に示すような別態様のケーブルコア１７は、ケーブルコア３と異なり、素線介在としての素線の代わりに裸の素線２９を用いている。また、図４に示すような別態様のケーブルコア１９は、ケーブルコア３と異なり、各ケーブル導体９は、撚り合わされた複数の素線１３を備える代わりに、交互に撚り合わされた複数の素線１３と複数の裸の素線２９を備えている。ここで、各裸の素線２９の外周部には、銀又は金のメッキ処理が施されている。また、各裸の素線２９の外径は、通常、０．０３〜０．１mmである。
【００４２】
そして、図５に示すような別態様のケーブルコア２１は、ケーブルコア３と異なり、ケーブル導体介在としてのケーブル導体９Ａの代わりにテンションメンバ３１を用いている。同様に、図６に示すような別態様のケーブルコア２３は、ケーブルコア１７と異なり、ケーブル導体介在としてのケーブル導体９Ａの代わりにテンションメンバ３１を用いてあって、図７に示すような別態様のケーブルコア２５は、ケーブルコア１９と異なり、ケーブル導体介在としてのケーブル導体９Ａの代わりにテンションメンバ３１を用いている。
【００４３】
更に、図８に示すケーブルコア２７は、ケーブルコア２１と異なり、テンションメンバ３１の径を拡大して、ケーブル導体９の個数を増やしている。また、各ケーブル導体９，９Ａの撚り合わす素線１３，１３Ａの数を変更してもよい。
【００４４】
なお、別態様のケーブルコア１７，１９，２３，２５のいずれかであっても、ケーブルコア３と同様に、各ケーブル導体９，９Ａは、隣接関係にある素線１３（２９）間が互いに絶縁状態又は半導電状態になるように構成されている。
【００４５】
なお、別態様のケーブルコアであっても、各ケーブル導体は、隣接関係にある素線１３（１９）間が互いに絶縁状態又は半導電状態になるように構成されている。
【００４６】
次に、本発明の最良の形態の作用について説明する。
【００４７】
各ケーブル導体９は、撚り合わされた複数の素線１３（ケーブルコア１９，２５のいずれかにあっては、複数の裸の素線２９を含む）及び素線介在としての素線１３Ａ（ケーブルコア１７，２３のいずれかにあっては、裸の素線２９）を備えてあって、各ケーブル導体９は、前記隣接関係にある素線１３間（ケーブルコア１７，１９，２３，２５のいずれかにあっては、素線１３（１９）間）が互いに絶縁状態又は半導電状態になるように構成されているため、各ケーブル導体９，９Ａ（ケーブルコア２１，２３，２５，２７のいずれかにあっては、各ケーブル導体９）内を電気的に複数に分割して、各ケーブル導体９，９Ａ内に安定した信号路を形成することができる。
【００４８】
特に、各素線１３，１３Ａ（ケーブルコア１７，１９，２３，２５のいずれかにあっては、複数の裸の素線２９を含む）の外周部に銀又は金のメッキ処理が施されているため、各素線１３，１３Ａの電気伝送性が高くなる。また、コア絶縁層１１は発泡樹脂により構成されているため、コア絶縁層１１の誘電率が低くなる。更に、ケーブルコア３，２１，２７のいずれかにあっては、各ケーブル導体９は複数の素線１３の外周部をそれぞれ覆う複数の素線絶縁被覆１５を備えているため、各ケーブル導体９，９Ａの伝送損失が小さくなる。これによって、各ケーブル導体９，９Ａ内に安定度の高い信号路を形成することができる。
【００４９】
また、各ケーブル導体９は撚り合わされた複数の素線１３（ケーブルコア１９，２５のいずれかにあっては、複数の裸の素線２９を含む）を備えているため、ケーブルコア３，１７，１９，２１，２３，２５，２７のいずれかを主要な構成要素とした同軸ケーブル１の可とう性を高めることができる。
【００５０】
以上の如き、第１の発明の最良の形態によれば、各ケーブル導体９，９Ａ内を電気的に複数に分割して、各ケーブル導体９，９Ａ内に安定度の高い信号路を形成することができため、同軸ケーブル１によって高周波帯域の信号を伝送する場合にあっても、同軸ケーブル１内における信号の減衰を小さくできる。そのため、上述のような場合でも、同軸ケーブル１の細径化を図りつつ、同軸ケーブル１のケーブル長を十分に長くすることができ、同軸ケーブル１の利用範囲を拡大することができる。
【００５１】
また、ケーブルコア３，１７，１９，２１，２３，２５，２７のいずれかを主要な構成要素とした同軸ケーブル１の可とう性を高めることができるため、同軸ケーブル１の曲げ、ねじり等の機械的特性が向上する。
【００５２】
第２の発明の最良の形態について図９を参照して説明する。
【００５３】
ここで、図９は、第２の発明の最良の形態に係わるツインナックスケーブルの断面図である。
【００５４】
図９に示すように、第２の発明の最良の形態に係わるツインナックスケーブル３３は、第１の発明の最良の形態に係わる同軸ケーブル１と同様に、信号を伝送する伝送ケーブルの一つであって、通信分野に広く用いられている。
【００５５】
また、ツインナックスケーブル３３は、平行に並んだ一対のケーブルコア３５と、一対のケーブルコア３５に隣接したドレン線３７と、一対のケーブルコア３５及びドレン線３７をシールドするシールドテープ３９とを具備している。ここで、ケーブルコア３５は、第１の発明の最良の形態に係わるケーブルコア３と同様の構成を有しており、ツインナックスケーブル３５は、同軸ケーブル１と同様に、ケーブルコア３５の代わりに図３から図８に示すような別態様のケーブルコア１７，１９，２１，２３，２５，２７を構成要素としてもよい。
【００５６】
従って、第２の発明の最良の形態においても、第１の発明の最良の形態と同様の作用、効果を奏する。
【００５７】
なお、本発明は、同軸ケーブル１、ツインナックスケーブル３５に適用されるものではなく、ツイストペアケーブル、ペアケーブル、シールドツイストペアケーブル、及びシールドペアケーブル等の種々な伝送ケーブルに適用することができる。
【図面の簡単な説明】
【００５８】
【図１】第１の発明の最良の形態に係わる同軸ケーブルの断面図である。
【図２】第１の発明の最良の形態に係わるケーブルコアの断面図である。
【図３】第１の発明の最良の形態に係わる別態様のケーブルコアの断面図である。
【図４】第１の発明の最良の形態に係わる別態様のケーブルコアの断面図である。
【図５】第１の発明の最良の形態に係わる別態様のケーブルコアの断面図である。
【図６】第１の発明の最良の形態に係わる別態様のケーブルコアの断面図である。
【図７】第１の発明の最良の形態に係わる別態様のケーブルコアの断面図である。
【図８】第１の発明の最良の形態に係わる別態様のケーブルコアの断面図である。
【図９】第２の発明の最良の形態に係わるツイナックスケーブルの断面図である。
【図１０】従来の同軸ケーブルの断面図である。
【符号の説明】
【００５９】
１          同軸ケーブル
３          ケーブルコア
５          外部導体
７          シース
９          ケーブル導体
９Ａ        ケーブル導体
１１          コア絶縁層
１３          素線
１３Ａ        素線
１５          素線絶縁被覆
１７          ケーブルコア
１９          ケーブルコア
２１          ケーブルコア
２３          ケーブルコア
２５          ケーブルコア
２７          ケーブルコア
２９          裸の素線
３３          ツインナックスケーブル
３７          ドレン線
３９          シールドテープ
【図１】
2005166560.tif 000003
【図２】
2005166560.tif 000004
【図３】
2005166560.tif 000005
【図４】
2005166560.tif 000006
【図５】
2005166560.tif 000007
【図６】
2005166560.tif 000008
【図７】
2005166560.tif 000009
【図８】
2005166560.tif 000010
【図９】
2005166560.tif 000011
【図１０】
2005166560.tif 000012